(57)【特許請求の範囲】
【請求項１】
飲料用カップ（Ｃ）の外周を覆うように着脱可能に装着される筒状本体（２）を有し、筒状本体（２）の外周に把持部となる凹凸が形成されることで、筒状本体（２）によって、把持した手に飲料用カップ（Ｃ）側からの熱が伝わることを抑制する飲料用カップの断熱具兼安定把持具において、前記筒状本体（２）が装着された状態で飲料用カップ（Ｃ）からの熱を該筒状本体（２）の外側に排出するように筒状本体（２）の周面を貫く放熱孔（１８）が穿設され、該放熱孔（１８）によって凹凸が形成され、前記放熱孔（１８）が、筒状本体（２）の外周側を把持した際に拇指が位置する部分である拇指側範囲（１９）と、中指を含む拇指以外の指が位置する部分である中指側範囲（２１）とにそれぞれ各別に設けられた飲料用カップの断熱具兼安定把持具。
【請求項２】
筒状本体（２）の外周側を把持した際の指の当接部に対応する位置に複数の放熱孔（１８）が集中させて配設されてなる請求項１記載の飲料用カップの断熱具兼安定把持具。
【請求項３】
左手によって把持した際に該左手の拇指側範囲（１９Ｌ）と中指側範囲（２１Ｌ）に対応する位置と、右手によって把持した際に該右手の拇指側範囲（１９Ｒ）と中指側範囲（２１Ｒ）に対応する位置とに、振分けて放熱孔（１８）が設けられた請求項１又は２の何れかに記載の飲料用カップの断熱具兼安定把持具。
【請求項４】
展開状態で扇状に成形されたシート（３）の両縁部（７），（８）同士が係脱可能に接続されることにより、筒状本体（２）が円錐台状に成形された請求項１乃至３の何れかに記載の飲料用カップの断熱具兼安定把持具。
【請求項５】
扇状シート（３）の一方側縁部（７）に差込片（９）が形成され、他方側縁部（８）に差込部（１１）が形成され、該差込部（１１）に前記差込片（９）が挿脱可能に挿入されることにより、扇状シート（３）の両縁部（７），（８）が接続される請求項４記載の飲料用カップの断熱具兼安定把持具。
【請求項６】
飲料用カップ（Ｃ）の円形断面に外接する多角形断面を少なくとも一部に有するように、該多角形の角部に応じた縦方向の外向き山形の折目（１２）が、筒状本体（２）に形成された請求項１乃至５の何れかに記載の飲料用カップの断熱具兼安定把持具。
【請求項７】
筒状本体（２）が紙製である請求項１乃至６の何れかに記載の飲料用カップの断熱具兼安定把持具。
【発明の詳細な説明】
【技術分野】
【０００１】
この発明は、スリーブ状に成形されて安定的に把持可能な飲料用カップの断熱具兼安定把持具に関する。
【背景技術】
【０００２】
飲料用カップの外周を覆うように着脱可能に装着される筒状本体を有し、筒状本体によって、把持した手に飲料用カップ側からの熱が伝わることを抑制する飲料用カップの断熱具が従来公知であるが、筒状本体の外周が滑らかであるため、滑り易く、把持し難いという問題があった。
【０００３】
この問題を改善したものとして、筒状本体の外周に把持部となる凹凸を形成し、筒状本体の外周側を把持し易くした特許文献１に示す飲料用カップの断熱具兼安定把持具が公知である。
【先行技術文献】
【特許文献】
【０００４】
【特許文献１】特開２００１−８０６２５号公報
【発明の概要】
【発明が解決しようとする課題】
【０００５】
上記文献の飲料用カップの断熱具兼安定把持具は、筒状本体の凹凸からなる把持部と、飲料用カップとの間に形成される隙間が断熱空間として作用し、把持部に飲料用カップ側からの熱が伝わることは局所的に防止できる一方で、飲料用カップ側の熱が、筒状本体の内周面と飲料用カップの外周面との間にこもるので、時間経過に伴って筒状本体の全体が熱くなり、断熱具として機能が不十分になる場合がある。
本発明は、飲料用カップの外周を覆うように着脱可能に装着される筒状本体を有し、筒状本体によって、把持した手に飲料用カップ側からの熱が伝わることを抑制するとともに、持ち易く安定的に把持できる飲料用カップの断熱具兼安定把持具を提供することを課題とする。
【課題を解決するための手段】
【０００６】
上記課題を解決するため、第１に、飲料用カップＣの外周を覆うように着脱可能に装着される筒状本体２を有し、筒状本体２の外周に把持部となる凹凸が形成されることで、筒状本体２によって、把持した手に飲料用カップＣ側からの熱が伝わることを抑制する飲料用カップの断熱具兼安定把持具において、前記筒状本体２が装着された状態で飲料用カップＣからの熱を該筒状本体２の外側に排出するように筒状本体２の周面を貫く放熱孔１８が穿設され、該放熱孔１８によって凹凸が形成され、前記放熱孔１８が、筒状本体２の外周側を把持した際に拇指が位置する部分である拇指側範囲１９と、中指を含む拇指以外の指が位置する部分である中指側範囲２１とにそれぞれ各別に設けられたことを特徴としている。
【０００７】
第２に、筒状本体２の外周側を把持した際の指の当接部に対応する位置に複数の放熱孔１８が集中させて配設されてなることを特徴としている。
【０００８】
第３に、左手によって把持した際に該左手の拇指側範囲１９Ｌと中指側範囲２１Ｌに対応する位置と、右手によって把持した際に該右手の拇指側範囲１９Ｒと中指側範囲２１Ｒに対応する位置とに、振分けて放熱孔１８が設けられたことを特徴としている。
【０００９】
第４に、展開状態で扇状に成形されたシート３の両縁部７，８同士が係脱可能に接続されることにより、筒状本体２が円錐台状に成形されたことを特徴としている。
【００１０】
第５に、扇状シート３の一方側縁部７に差込片９が形成され、他方側縁部８に差込部１１が形成され、該差込部１１に前記差込片９が挿脱可能に挿入されることにより、扇状シート３の両縁部７，８が接続されることを特徴としている。
【００１１】
第６に、飲料用カップＣの円形断面に外接する多角形断面を少なくとも一部に有するように、該多角形の角部に応じた縦方向の外向き山形の折目１２が、筒状本体２に形成されたことを特徴としている。
【００１２】
第７に、筒状本体２が紙製であることを特徴としている。
【発明の効果】
【００１３】
上記構成によれば、筒状本体の周面を貫く放熱孔によって凹凸を形成しているため、より簡易な構成で、筒状本体の外周に把持部となる凹凸を設けることが可能になるとともに、該放熱孔によって、飲料用カップ側の熱を排出して筒状本体の全体が熱くなることも効率的に防止できる。このため、飲料用カップを安定的に把持させる安定把持具としての機能と、飲料用カップからの熱を遮断する断熱具として機能とを、高いレベルで両立可能になる。この他、放熱孔に排熱機能及び把持部機能の２つの機能を兼用させるため、構造が簡略化される。
【００１４】
また、筒状本体の外周側を把持した際に拇指が位置する部分である拇指側範囲と、中指を含む拇指以外の指が位置する部分である中指側範囲とに、それぞれ放熱孔を配置すれば、放熱孔によって形成される凹凸が拇指側範囲及び中指側範囲に位置し、飲料用カップに外装された筒状本体を、さらに把持し易くなる。
【００１５】
また、筒状本体の外周側を把持した際の指の当接部に対応する位置に複数の放熱孔を集中させて配設すれば、飲料用カップに外装された筒状本体が、より持ち易くなる。
【００１６】
さらに、左手によって把持した際に該左手の拇指側範囲と中指側範囲に対応する位置と、右手によって把持した際に該右手の拇指側範囲と中指側範囲に対応する位置とに、振分けて放熱孔を設ければ、飲料用カップに外装された筒状本体を、左右どちらの手からも、把持し易くなる。
【００１７】
なお、飲料用カップの円形断面に外接する多角形断面を少なくとも一部に有するように、該多角形の角部に応じた縦方向の外向き山形の折目を、筒状本体に形成すれば、飲料用カップ外周と、筒状本体内周との間に隙間が形成され、飲料用カップ外周から筒状本体に熱が伝わることを、さらに効率的に防止できる。
【００１８】
また、筒状本体が紙製であり、筒状本体自体が熱を伝え難いので、筒状本体が熱くなることをより確実に防止可能になる。
【図面の簡単な説明】
【００１９】
【図１】本発明の飲料用カップの断熱具兼安定把持具を適用した断熱具兼安定把持具の斜視図である。
【図２】図１の断熱具兼安定把持具の展開図である。
【図３】飲料用カップに外装された断熱具兼安定把持具を上側から見た斜視図である。
【図４】飲料用カップに外装された断熱具兼安定把持具を底側から見た斜視図である。
【図５】断熱具兼安定把持具が外装された紙コップの外周面側を右手で把持した際における右手母子側の斜視図である。
【図６】断熱具兼安定把持具が外装された紙コップの外周面側を右手で把持した際における右手中指側の斜視図である。
【発明を実施するための形態】
【００２０】
図１は、本発明の飲料用カップの断熱具兼安定把持具を適用した断熱具兼安定把持具の斜視図であり、図２は、図１の断熱具兼安定把持具の展開図であり、図３，４は、飲料用カップに外装された断熱具兼安定把持具を上側から見た斜視図及び底側から見た斜視図である。同図に示す断熱具兼安定把持具（断熱具，安定把持具）１は、紙製の飲料用カップである紙コップＣに外装される紙製の筒状本体２から構成され、断熱具兼安定把持具１は、紙コップＣを安定的に把持する安定把持具として機能するとともに、紙コップＣ側からの熱を遮断する断熱具として機能するものである。
【００２１】
上記紙コップＣは、上端から下端に向かって径が小さくなる円錐台状に成形され、この紙カップＣの上端が開放される一方で、下端に底が形成されている。該紙コップＣ内に、コーヒーや紅茶やお茶等の高温な飲み物を注ぎ入れて溜めておくことが可能である。
【００２２】
また、紙コップＣの開放された上端側を、王冠状に成形された蓋Ｆによって、開閉自在に閉塞してもよい。具体的には、蓋Ｆの内周面側に紙コップＣの円形の上端縁が係脱自在に嵌入されることにより、蓋Ｆを紙コップＣに着脱自在に取付固定する。この蓋Ｆの上面側における縁寄り箇所には飲み口Ｆ１が形成されるとともに、該蓋Ｆの中央寄り箇所には空気孔Ｆ２が形成されているため、紙コップＣに蓋Ｆを装着した状態のまま、飲み口Ｆ１を介して、紙コップＣ内の飲み物を飲むことができる。
【００２３】
上記断熱具兼安定把持具１を構成する筒状本体２は、紙コップＣの軸心方向に沿って上下方向に形成される。このように軸方向が上下方向に設定された筒状本体２は、上下両端が開放されるとともに、円錐台状の紙コップＣの外周に沿うように上端から下端に向かって徐々に径が小さくなる円錐台状に成形されている。
【００２４】
具体的には、まず、フレキシブルに変形する１枚の紙から、円錐台を展開した形状と同一の形状（扇状）にシート３を切抜形成する。この扇状シート３は、同一中心且つ同一中心角であって径の異なる一対の扇形の円弧部分に沿う一対の円弧状縁部４，６と、一対の円弧状縁部４，６の両端側をそれぞれ直線状に接続する一対の直線状縁部（縁部）７，８とによって、外形が形成される。
【００２５】
径が長い扇形の円弧部分である円弧状縁部４は、筒状本体の上縁部になるとともに、径が短い扇形の円弧部分に沿う円弧状縁部６は、筒状本体の下縁部になる他、一対の各直線状縁部７，８は、上述した一対の扇形の径方向に形成されている。
【００２６】
この扇状シート３の一対の直線状縁部７，８同士を、重ね合せて係脱自在に接続することにより、前述した円錐台状の筒状本体２を構成している。
【００２７】
詳しくは、差込片９を一方側の直線状縁部７に一体的に突出形成するとともに、この差込片９が挿脱自在に差込挿入される差込部１１を他方側の直線状縁部８に形成している。そして、一対の直線状縁部７，８同士を重ね合せた状態で、差込片９を差込部１１に挿入することにより、扇状シート３の両直線状縁部７，８を係脱自在に接続するが、この際、差込片９側の直線状縁部７を外側に位置させるとともに、差込部１１側の直線状縁部８を内側に位置させ、差込片９を、筒状本体２の外周側から内周側に向かって差込部１１に差込むことにより、差込片９が筒状本体２の外周面から外側に突出することが防止される。
【００２８】
ちなみに、差込部１１は、切込み又は細長い差込孔等（図示する例では切込み）によって構成され、この差込部１１の差込み幅方向の長さを、差込片９の差込み幅方向の最大長さよりも若干短く設定すれば、若干の変形又は差込方向の調整等によって、差込片９を差込部１１に一旦差込むことにより、それ以降、差込部１１から差込片９が抜け出ることが効率的に防止される。
【００２９】
また、円弧状の下縁部６からは、上述した扇形の径方向に延びる縦方向の折目１２が所定間隔毎に複数（図示する例では等間隔毎に４つ）形成されている。各折目１２は、下縁部６から中途部分まで形成されている。このため、両縁部７，８を接続して逆円錐台状の筒状本体２を形成した際、筒状本体２の上部の断面形状は円形リング状をなしている一方で、筒状本体２の下部の断面形状は、紙コップＣの円形平断面に外接する折目の数と同一数角の多角形状をなしている。
【００３０】
言換えると、筒状本体２は、外向きに山形をなす縦方向の複数の折目１２によって、下部から中途部に亘る範囲が、平断面視において、各辺が外向きに湾曲するようにして紙コップＣの円形断面に外側から接する多角形状に形成されている。この筒状本体２の多角形断面によって、下部寄り箇所では、紙コップＣ外周面と筒状本体２内周との間に隙間Ｓが形成され、該隙間Ｓが断熱層として機能し、紙コップＣ側から断熱具兼安定把持具１側への熱の伝導を抑止する。ちなみに、下縁部６は、隣接する折目１２，１２の下端間において、両者を直線状に結びように、直線状に形成されている。
【００３１】
以上のようにして断熱具兼安定把持具１が組立てられるが、この断熱具兼安定把持具１は、紙コップＣに巻付けた後に、扇状シート３の一対の直線状縁部７，８同士を接続することにより、筒状本体２を形成して、紙コップＣに断熱具兼安定把持具１を外装してもよいし、或いは、一対の直線状縁部７，８同士を予め接続して筒状本体２を形成した後、該筒状本体２の内周側に紙コップＣの外周側を挿脱自在に挿入することにより、該紙コップＣに断熱具兼安定把持具１を外装してもよい。
【００３２】
また、この断熱具兼安定把持具１は、重ね合わされた一対の直線状縁部７，８側を背面側領域１３とし、この背面側領域１３に対して筒状本体２の軸心は挟んだ反対側に正面側領域１４が形成され、この背面側領域１３と正面側領域１４との挟まれて対向する領域がサイド領域１６，１７になる。ちなみに、図示する例は、４つの折目１２が設けられ、この折目１２が、これらの領域１３，１４，１６，１７の境界に配置されている。
【００３３】
正面側領域１３は、広告や飲み物の商品名等が印刷される表示領域になる一方で、一対のサイド領域１６，１７は、紙コップＣに外装された状態で筒状本体２を把持する際に指が位置する部分になり、この部分に放熱孔１８が複数穿設されている。
【００３４】
具体的には、表示領域１４が露出し且つ背面側領域１３が掌で覆われるようにして、筒状本体２が外装された紙コップＣを把持した場合、一方のサイド領域１６，１７における上部が、拇指が位置する拇指側範囲１９になるとともに、他方のサイド領域１６，１７の下側半部が、中指を含むその他の指（具体的には、中指と食指と薬指と小指）が位置する中指側範囲２１になる。
【００３５】
ちなみに、筒状本体２が外装された紙コップＣの外面側を右手で把持する場合には、表示領域１４を正面から見た場合における右側のサイド領域１６の上部に右手用拇指側範囲１９Ｒが設定されるとともに左側のサイド領域１７の下側半部に右手用中指側範囲２１Ｒが設定される。一方、筒状本体２が外装された紙コップＣの外面側を左手で把持する場合には、表示領域１４を正面から見た場合における左側のサイド領域１７の上部に左手用拇指側範囲１９Ｌが設定されるとともに右側のサイド領域１６の下側半部に左手用中指側範囲２１Ｌが設定される。
【００３６】
筒状本体２における左右の拇指側範囲１９Ｌ，１９Ｒ及び中指側範囲２１Ｌ，２１Ｒに、上述した放熱孔１８が集中的に振分け配置され、筒状本体２におけるそれ以外の部分には、上述した放熱孔１８は穿設されていない。言換えると、筒状本体２を展開した場合における表示領域１４を挟んだ左右対称位置に、複数の放熱孔１８がそれぞれ穿設されている。
【００３７】
さらに詳しく説明すると、左右の拇指側範囲１９Ｌ，１９Ｒ及び中指側範囲２１Ｌ，２１Ｒのそれぞれにおいて、紙コップＣに外装された筒状本体２の外周側を把持した際に指が当接する部分に沿うように周方向に並べられた状態で、複数の放熱孔１８が集中配置されている。言換えると、各拇指側範囲１９及び各中指側範囲２１には、指の当接部に対応して、筒状本体２の周方向に列状に並べられた複数の放熱孔が配設されている。
【００３８】
この所定箇所に集中範囲された複数の放熱孔１８によって、紙コップＣに外装される筒状本体２の外周面には凹凸が形成される。この凹凸は、紙コップに外装される筒状本体２の外周面に指を当接させて把持する際の把持部として機能している。
【００３９】
さらに、放熱孔１８は、熱い飲み物が収納保持された紙コップＣからの熱を、該紙コップＣに外装された断熱具兼安定把持具１の外側に排出するように機能し、該紙コップＣからの熱が、紙コップＣ外周面と断熱具兼安定把持具１内周面との間にこもって、断熱具兼安定把持具１自体が全体的に熱くなることが抑制される。
【００４０】
なお、紙コップＣに断熱具兼安定把持具１を外装すれば、液体が収容された状態の紙コップＣをテーブル等に載置する際の安定性も向上する。
【００４１】
図５，６は、断熱具兼安定把持具が外装された紙コップの外周面側を右手で把持した際における右手母子側の斜視図及び右手中指側の斜視図である。同図に示す通り、右手用母子側範囲１９Ｒの放熱孔１８列に右手の拇指が当接するとともに、右手用中指側範囲２１Ｒの複数の放熱孔１８列に右手の中指を含むその他の指が当接する。
【００４２】
この際、手のサイズが大きい場合には、右手の中指を含むその他の指が、左手用拇指範囲１９Ｌの放熱孔１８の列にも当接する。また、中指側の４本の指における１又は複数の指が断熱具兼安定把持具１や紙カップＣに触れないようにして、該紙カップＣを把持しもよい。
【００４３】
そして、この際、左手用中指側範囲１９Ｌに穿設された放熱孔１８は、露出するため、この露出した放熱孔１８から、上述した排熱が行われる。すなわち、断熱具兼安定把持具１が外装された紙コップＣを把持した状態でも、効率的な排熱を行うことが可能である。
【００４４】
また、放熱孔１８を集中的に配置する箇所を適宜定めることによって、スリーブ状の断熱具兼安定把持具１が外装された紙コップＣにおいて、把持位置を明確に示すことが可能になり、表示領域１４に記載された文字や絵柄や広告が、手に隠れることなく、周囲の者に対して目視させることが容易になる。
【００４５】
なお、断熱具兼安定把持具１が外装された紙コップＣの外周面側を左手で把持する場合も、左右が逆になるのみで、その他の構成は変わらない。また、蓋Ｆを装着した状態のまま紙コップＣ内の飲み物を飲む場合、飲み口Ｆ１が、把持する側の手の拇指側範囲１９に可能な限り近付くように、断熱具兼安定把持具１を紙コップＣに外装すれば、拇指側を支点に紙カップＣを傾けることが容易になるため、飲む際の動作をよりスムーズに行うことが可能になる。
【符号の説明】
【００４６】
２  筒状本体
３  扇状シート（シート）
７  直線状縁部（縁部）
８  直線状縁部（縁部）
９  差込片
１１  差込部（切込み、差込孔）
１２  折目
１８  放熱孔
１９  拇指側範囲
１９Ｌ  左手用拇指側範囲（拇指側範囲）
１９Ｒ  右手用拇指側範囲（拇指側範囲）
２１  中指側範囲
２１Ｌ  左手用中指範囲（拇指側範囲）
２１Ｒ  右手用中指範囲（拇指側範囲）
Ｃ  飲料用カップ
【図１】
0005985800.tif 000002
【図２】
0005985800.tif 000003
【図３】
0005985800.tif 000004
【図４】
0005985800.tif 000005
【図５】
0005985800.tif 000006
【図６】
0005985800.tif 000007